(57)【特許請求の範囲】
【請求項１】
物体側屈折面と眼球側屈折面との２つの屈折面によって構成され、
前記物体側屈折面および前記眼球側屈折面のうちいずれか一方の面に、遠方の物体を見るために使用する遠用部と、近方の物体を見るために使用する近用部と、これらの遠用部と近用部との間に設けられた累進部とを有する累進屈折力レンズであって、
前記遠用部に遠用部測定基準点を有し、前記近用部に近用部測定基準点を有し、
前記一方の面の主子午線上の縦方向の曲率ＣＴについて、当該累進屈折力レンズの屈折率をｎ、当該累進屈折力レンズの加入度をＡｄｄとすると、前記遠用部測定基準点での縦方向の曲率ＣＴ（ＤＰ）と近用部測定基準点での縦方向の曲率ＣＴ（ＮＰ）とが以下の式（１）の関係を満たす累進屈折力レンズであって、
［数１］
（ｎ−１）×（ＣＴ（ＮＰ）−ＣＴ（ＤＰ））＞Ａｄｄ・・・（１）
前記主子午線上の横方向の曲率をＣＹとすると、前記遠用部測定基準点での横方向の曲率ＣＹ（ＤＰ）と、前記遠用部測定基準点での前記縦方向の曲率ＣＴ（ＤＰ）とが以下の式（２）の関係を満たすとともに、
［数２］
ＣＹ（ＤＰ）＝ＣＴ（ＤＰ）・・・（２）
前記主子午線上のうち前記累進部の前記遠用部側の端部に設けられた累進開始点より前記近用部側の前記累進部および前記近用部に位置する点における横方向の曲率ＣＹ（Ｐ）と、当該点における縦方向の曲率ＣＴ（Ｐ）とが以下の式（３）の関係を満たすことを特徴とする累進屈折力レンズ。
［数３］
ＣＹ（Ｐ）＞ＣＴ（Ｐ）・・・（３）
【請求項２】
請求項１に記載の累進屈折力レンズにおいて、
前記近用部測定基準点での横方向の曲率ＣＹ（ＮＰ）と、前記近用部測定基準点での縦方向の曲率ＣＴ（ＮＰ）とが以下の式（４）の関係を満たすことを特徴とする累進屈折力レンズ。
［数４］
ＣＹ（ＮＰ）＞ＣＴ（ＮＰ）・・・（４）
【請求項３】
請求項１または請求項２に記載の累進屈折力レンズにおいて、
前記主子午線上のうち前記累進開始点より近用部側の累進部から前記近用部測定基準点までの間に位置する点における横方向の曲率ＣＹ（Ｐ）と、当該点における縦方向の曲率ＣＴ（Ｐ）と、が前記式（３）に示す関係を満たすことを特徴とする累進屈折力レンズ。
【請求項４】
請求項１から請求項３のいずれかに記載の累進屈折力レンズにおいて、
前記遠用部における屈折力はマイナスである
ことを特徴とする累進屈折力レンズ。
【請求項５】
請求項１から請求項４のいずれかに記載の累進屈折力レンズにおいて、
前記物体側屈折面および眼球側屈折面のうちいずれか他方の面は、
前記一方の面で設定された屈折力に対する補正が施された補正面であり、
前記遠用部と、前記近用部と、前記累進部とを有し、前記遠用部に遠用部測定基準点が設定され、前記近用部に近用部測定基準点が設定され、
前記他方の面の主子午線上の横方向の曲率ＣＹにおける前記遠用部測定基準点での横方向の曲率ＣＹ（ＤＰ）と、前記遠用部測定基準点での前記縦方向の曲率ＣＴ（ＤＰ）とが前記式（２）の関係を満たし、
前記主子午線上のうち前記累進部の前記遠用部側の端部に設けられた累進開始点より前記近用部側の前記累進部および前記近用部に位置する点における横方向の曲率ＣＹ（Ｐ）と、当該点における縦方向の曲率ＣＴ（Ｐ）とが前記式（３）の関係を満たす
ことを特徴とする累進屈折力レンズ。
【発明の詳細な説明】
【技術分野】
【０００１】
本発明は、遠用部、近用部、および累進部を備えた累進屈折力レンズに関する。
【背景技術】
【０００２】
累進屈折力レンズは、遠方視に対応する屈折力(度数)を持つ遠用部と、近方視に対応する屈折力を持つ近用部と、これらの遠用部と近用部との間に設けられた累進部と、この累進部の両側に設けられた中間側方部とを有している。遠用部の屈折力と近用部の屈折力の差を加入度（Ａｄｄ）と呼び、この加入度が大きいほど、ゆれ、歪み、ボケ等の違和感が増加する。また、累進屈折力レンズをフィッティングする際、通常は、遠用部における光学性能が最も良くなるように調整されるため、近用部の位置が必然的に決まってしまい、近用部における最適なフィッティングを独立で行うことができない。このような累進屈折力レンズを実際に装用すると、眼に感じる近用度数とレンズの度数とが異なり、ゆれや歪みを悪化させてしまう。
【０００３】
このような違和感を抑えるための技術が提案されている（例えば、特許文献１参照）。
特許文献１に記載の累進屈折力レンズは、物体側屈折面と眼球側屈折面とを有して構成されており、遠用部近傍での眼球側屈折面の平均曲率を基準球面としたとき、近用部近傍での眼球側屈折面の位置が基準球面より眼球側に近い位置となるように近用部近傍での眼球側屈折面の平均曲率を変えた構成となっている。
【先行技術文献】
【特許文献】
【０００４】
【特許文献１】特許第３５８２５２７号公報
【発明の概要】
【発明が解決しようとする課題】
【０００５】
特許文献１に記載の累進屈折力レンズでは、実際に装用した場合に像の歪みやゆれといった問題をある程度は低減させることはできるものの、十分に満足できるものではなく、さらなる低減が求められている。
特に、マイナス度数の累進屈折力レンズの場合、累進部から近用部にかけた領域において像が縦方向に長く延びた状態に見える歪みが発生するという問題がある。
【０００６】
本発明の目的は、歪みを低減することができる累進屈折力レンズを提供することである。
【課題を解決するための手段】
【０００７】
本発明の累進屈折力レンズは、物体側屈折面と眼球側屈折面との２つの屈折面によって構成され、前記物体側屈折面および前記眼球側屈折面のうちいずれか一方の面に、遠方の物体を見るために使用する遠用部と、近方の物体を見るために使用する近用部と、これらの遠用部と近用部との間に設けられた累進部とを有し、前記遠用部に遠用部測定基準点を有し、前記近用部に近用部測定基準点を有し、前記一方の面の主子午線上の縦方向の曲率ＣＴについて、当該累進屈折力レンズの屈折率をｎ、当該累進屈折力レンズの加入度をＡｄｄとすると、前記遠用部測定基準点での縦方向の曲率ＣＴ（ＤＰ）と近用部測定基準点での縦方向の曲率ＣＴ（ＮＰ）とが以下の式（１）の関係を満たす累進屈折力レンズであって、前記主子午線上の横方向の曲率をＣＹとすると、前記遠用部測定基準点での横方向の曲率ＣＹ（ＤＰ）と、前記遠用部測定基準点での前記縦方向の曲率ＣＴ（ＤＰ）とが以下の式（２）の関係を満たすとともに、前記主子午線上のうち前記累進部の前記遠用部側の端部に設けられた累進開始点より前記近用部側の前記累進部および前記近用部に位置する点における横方向の曲率ＣＹ（Ｐ）と、当該点における縦方向の曲率ＣＴ（Ｐ）とが以下の式（３）の関係を満たすことを特徴とする。
【０００８】
［数１］
（ｎ−１）×（ＣＴ（ＮＰ）−ＣＴ（ＤＰ））＞Ａｄｄ・・・（１）
【０００９】
［数２］
ＣＹ（ＤＰ）＝ＣＴ（ＤＰ）・・・（２）
【００１０】
［数３］
ＣＹ（Ｐ）＞ＣＴ（Ｐ）・・・（３）
【００１１】
ここで、累進屈折力レンズの加入度Ａｄｄは、処方により設定された加入度である（以降、処方加入度Ａｄｄと記載することもある。）。
この発明における累進屈折力レンズは、上記式（１）の関係を満たす。式（１）において、（ｎ−１）×ＣＴ（ＮＰ）は近用部の表面屈折力を表し、（ｎ−１）×ＣＴ（ＤＰ）は遠用部の表面屈折力を表す。したがって、（ｎ−１）×ＣＴ（ＮＰ）から（ｎ−１）×ＣＴ（ＤＰ）を引いた値は、レンズの加入度となる。累進屈折力レンズを構成する物体側屈折面と眼球側屈折面のうちいずれか一方の屈折面にのみ累進面を形成する場合は、この値と処方により設定された加入度Ａｄｄとが同じ値となるように表面屈折力が調整される。上記式（１）は、いずれか一方の屈折面において、表面屈折力により得られる加入度を、処方により設定された加入度Ａｄｄより大きく設定することを意味する。すなわち、いずれか一方の屈折面ではプラスの加入度となるように表面屈折力を調整し、いずれか他方の屈折面でマイナスの加入度となるように表面屈折力を調整することで、所望の加入度を得ることができるものである。すなわち、本発明の累進屈折力レンズは、物体側屈折面および眼球側屈折面の両方の屈折面に累進面を有する両面累進屈折力レンズである。
【００１２】
このような累進屈折力レンズは、眼球側屈折面がマイナスの加入度となることから、眼球側屈折面の遠用部の球面を基準面とすると、眼球側屈折面の近用部が基準面より眼球側に位置する形状となる。このような形状により、近用部が眼球に近づくため、ゆれを感じにくくなる。すなわち、ゆれを低減することができる。
【００１３】
また、累進屈折力レンズでは、遠用部では像の歪みが生じていなくても累進部および近用部を通して見る像に歪みが生じ、例えば、累進部および近用部では像が縦に長く歪んで見えるものがある。本発明では、累進屈折力レンズの主子午線上のうち、遠用部においては上記式（２）に示すように縦方向と横方向の曲率を同じにし、累進開始点より近用部側の累進部から近用部においては上記式（３）に示すように横方向の曲率を縦方向の曲率より大きくしている。このような累進屈折力レンズを実際に装用した場合、遠用部では像の縦横は同じ倍率で見え、累進開始点より近用部側の累進部から近用部では像の横の倍率が縦の倍率より大きく見える。したがって、累進部および近用部において横の倍率が大きく見えるため、像の縦と横のバランスが良くなり、累進部および近用部における歪みを低減することができる。
【００１４】
本発明の累進屈折力レンズにおいて、前記近用部測定基準点での横方向の曲率ＣＹ（ＮＰ）と、前記近用部測定基準点での縦方向の曲率ＣＴ（ＮＰ）とが以下の式（４）の関係を満たすことが好ましい。
【００１５】
［数４］
ＣＹ（ＮＰ）＞ＣＴ（ＮＰ）・・・（４）
【００１６】
この発明では、近用部測定基準点における横方向の曲率が縦方向の曲率より大きいため、近用物体を見る際、像の横方向の倍率が大きく見えるため、近用部において像が縦方向に長く見えていた歪みを低減させることができる。また、近用部測定基準点における像の横方向の倍率が大きくなることで、像全体の倍率が大きくなるため、近用作業が容易となり、長時間の作業でも疲れにくいという効果がある。
【００１７】
本発明の累進屈折力レンズにおいて、前記主子午線上のうち前記累進開始点より近用部側の累進部から前記近用部測定基準点までの間に位置する点における横方向の曲率ＣＹ（Ｐ）と、当該点における縦方向の曲率ＣＴ（Ｐ）と、が前記式（３）に示す関係を満たすことが好ましい。
【００１８】
累進開始点より近用部側の累進部から近用部測定基準点までの間に位置する点は、累進部または近用部の累進部側に位置している。累進部は、遠用部と近用部との間で連続的に屈折力が変化する領域であるので、曲率も連続的に変化している。このような領域で縦方向の曲率と横方向の曲率とが上記式（３）を満たすため、累進部から近用部測定基準点までの間を通して物体を見る際、像の横方向の倍率が大きくなるため、累進部および近用部において像が縦方向に長く見えていた歪みを低減させることができる。
【００１９】
本発明の累進屈折力レンズにおいて、前記遠用部における屈折力はマイナスであることが好ましい。
この発明では、累進屈折力レンズの遠用部がマイナス度数のレンズである。マイナス度数のレンズでは、遠用部では像の歪みはないが、累進部および近用部では像が縦方向に長く歪んで見える。この歪みは、近用部に近づくほど顕著である。上述したように、レンズの累進部から近用部にかけて横方向の曲率を縦方向の曲率より大きくすることで、像の横方向の倍率を大きく見えるため、マイナス度数のレンズにおける歪みを低減することができる。
【００２０】
本発明の累進屈折力レンズにおいて、前記物体側屈折面および眼球側屈折面のうちいずれか他方の面は、前記一方の面で設定された屈折力に対する補正が施された補正面であり、前記遠用部と、前記近用部と、前記累進部とを有し、前記遠用部に遠用部測定基準点が設定され、前記近用部に近用部測定基準点が設定され、前記他方の面の主子午線上の横方向の曲率ＣＹにおける前記遠用部測定基準点での横方向の曲率ＣＹ（ＤＰ）と、前記遠用部測定基準点での前記縦方向の曲率ＣＴ（ＤＰ）とが前記式（２）の関係を満たし、前記主子午線上のうち前記累進部の前記遠用部側の端部に設けられた累進開始点より前記近用部側の前記累進部および前記近用部に位置する点における横方向の曲率ＣＹ（Ｐ）と、当該点における縦方向の曲率ＣＴ（Ｐ）とが前記式（３）の関係を満たすことが好ましい。
【００２１】
この発明では、物体側屈折面と眼球側屈折面のうちいずれか一方の屈折面が上記式（１）を満たす累進屈折力レンズであり、いずれか他方の屈折面は、いずれか一方の屈折面で設定された表面屈折力を補正する補正面である。本発明の累進屈折力レンズは、物体側屈折面と眼球側屈折面の両方で表面屈折力を調整することで、所望の加入度を得ることができるものである。いずれか他方の面も、上述した式（３）の関係を満たすように曲率を設定するため、累進部から近用部にかけて生じる歪みをより低減させることができる。
【図面の簡単な説明】
【００２２】
【図１】本発明の一実施形態に係る累進屈折力レンズを示す断面図。
【図２】前記累進屈折力レンズを示す正面図。
【図３】前記累進屈折力レンズによる見え方を示す概略図。
【図４】前記累進屈折力レンズの実施例１における屈折力および曲率を示す図。
【図５】前記累進屈折力レンズの実施例２における屈折力および曲率を示す図。
【図６】前記累進屈折力レンズの実施例３における屈折力および曲率を示す図。
【図７】前記累進屈折力レンズの実施例４における屈折力および曲率を示す図。
【図８】前記累進屈折力レンズの実施例５における屈折力および曲率を示す図。
【発明を実施するための形態】
【００２３】
本発明の一実施形態を図面に基づいて説明する。
＜累進屈折力レンズの構成＞
図１に示すように、累進屈折力レンズ１０は、近視用のマイナス度数を有する両面累進屈折力レンズであり、物体側屈折面１１と眼球側屈折面１２との２つの屈折面で構成されている。
まず、物体側屈折面１１の構成について説明する。図２に示すように、物体側屈折面１１は、遠方視に対応する屈折力（度数）を持つ遠用部１と、近方視に対応する屈折力を持つ近用部２と、遠用部１と近用部２との間に設けられた累進部３と、この累進部３の両側に設けられた中間側方部４とを備えている。図２において、右側が鼻側であり、左側が耳側である。遠用部１と累進部３との境界部分に境界線Ｑ１を示し、累進部３と近用部２との境界部分に境界線Ｑ２を示す。
【００２４】
遠用部１、累進部３、および近用部２にかけて主子午線Ａが設けられている。この主子午線Ａは装用時に頻繁に視線が通過するレンズ上の位置であり、遠用部１ではほぼ中央部に上下に沿って設けられ、累進部３では、上部が遠用部１に設けられる主子午線Ａに沿って設けられ、途中から鼻側に向けて傾斜するように設けられ、近用部２では、上下に延びて設けられている。遠用部１と近用部２とにそれぞれ設けられた主子午線Ａは平行である。近用部２では、主子午線Ａは近距離を見るときの輻輳により鼻側に偏寄している。
【００２５】
累進屈折力レンズ１０は、複数の基準点を有している。例えば、主子午線Ａと境界線Ｑ１との交点は累進開始点Ｓであり、主子午線Ａと境界線Ｑ２との交点は累進終了点Ｅである。また、遠用部１における主子午線Ａ上には、正面視した視線が通る位置に遠用部測定基準点ＤＰが設定されている。さらに、近用部２における主子午線Ａ上には、近方視した視線が通る位置に近用部測定基準点ＮＰが設定されている。そして、レンズの光学的特性の中心点となる図示しない光学中心点が設定されている。
主子午線Ａの累進開始点Ｓと累進終了点Ｅとの間は表面屈折力（度数）が連続して変化した累進面とされる。遠用部１における表面屈折力をＤ１、近用部２における表面屈折力をＤ２とすると、主子午線Ａ上では、累進開始点Ｓから累進終了点Ｅにかけて表面屈折力Ｄ１からＤ２に増加し、累進終了点Ｅから近用部２においては表面屈折力Ｄ２とされる。
表面屈折力は、処方された遠用度数および近用度数に基づいて設定される。また、表面屈折力は、縦方向の屈折力と横方向の屈折力とを有しており、所望の屈折力が得られるようにそれぞれ調整されるものである。
【００２６】
次に、物体側屈折面１１の主子午線Ａに沿って設定される曲率について説明する。
主子午線Ａ上の縦方向の曲率をＣＴとし、主子午線Ａ上の横方向の曲率をＣＹとする。レンズの屈折率をｎとすると、遠用部１の表面屈折力は（ｎ−１）×ＣＴ（ＤＰ）で表され、近用部２の表面屈折力は（ｎ−１）×ＣＴ（ＮＰ）で表されることから、物体側屈折面１１における加入度は、（ｎ−１）×（ＣＴ（ＮＰ）−ＣＴ（ＤＰ）で表される。ここでいう加入度は、表面屈折力により得られる加入度である。一方、処方により設定された加入度（処方加入度）をＡｄｄとすると、表面屈折力により得られる加入度と処方により設定された処方加入度Ａｄｄとの間には以下の式（１）の関係がある。
【００２７】
［数５］
（ｎ−１）×（ＣＴ（ＮＰ）−ＣＴ（ＤＰ））＞Ａｄｄ・・・（１）
【００２８】
すなわち、表面屈折力により得られる加入度を処方加入度Ａｄｄより大きく設定する。累進屈折力レンズ１０は両面累進屈折力レンズであるため、物体側屈折面１１と眼球側屈折面１２の両方で表面屈折力を調整することで、所望の加入度を得る。すなわち、物体側屈折面１１では、上記式（１）によりプラスの加入度が設定されることを意味する。一方、後述するが眼球側屈折面１２では、物体側屈折面１１で設定された加入度と合わせることで処方加入度Ａｄｄとなるように、マイナスの加入度が設定される。
【００２９】
累進屈折力レンズ１０は、遠用部１では、縦方向の曲率ＣＴと横方向の曲率ＣＹとが等しい。遠用部測定基準点ＤＰについて式で表すと以下の式（２）の関係を満たす。
【００３０】
［数６］
ＣＹ（ＤＰ）＝ＣＴ（ＤＰ）・・・（２）
【００３１】
また、累進屈折力レンズ１０は、主子午線Ａの累進開始点Ｓより近用部２側の累進部３および近用部２では、横方向の曲率ＣＹは縦方向の曲率ＣＴより大きい。具体的に、累進開始点Ｓより近用部２側に位置する主子午線Ａ上の任意の点をＰとすると、任意の点Ｐにおける横方向の曲率ＣＹは縦方向の曲率ＣＴより大きい。具体的には、以下の式（３）の関係を満たす。
【００３２】
［数７］
ＣＹ（Ｐ）＞ＣＴ（Ｐ）・・・（３）
【００３３】
遠用部１がマイナス度数となる累進屈折力レンズ１０では、図３の波線（従来例）で示すように、累進開始点Ｓから近用部２に近づくほど、像が縦方向に長く歪んで見える。すなわち、像の縦方向の倍率が横方向の倍率に比べて大きく見える。
式（３）では、累進部３および近用部２に位置する任意の点Ｐにおいて、横方向の曲率ＣＹ（Ｐ）を縦方向の曲率ＣＴ（Ｐ）より大きく設定している。これにより、図３に示すように、従来見えていた像（波線）より、像の横方向の倍率が大きく見えるようになる（実線）。すなわち、実際に見える像の縦方向の倍率と横方向の倍率との差が小さくなり、歪みを低減することができる。
【００３４】
なお、上記式（３）の関係は、以下の式（４）に示すように、近用部測定基準点ＮＰにおいても当然成立するものである。
［数８］
ＣＹ（ＮＰ）＞ＣＴ（ＮＰ）・・・（４）
【００３５】
次に、眼球側屈折面１２について説明する。眼球側屈折面１２は、物体側屈折面１１と同様に、遠用部１、近用部２、累進部３、および中間側方部４を有しており、主子午線上の各点について、上記式（２）〜（４）の関係を満たしている。
眼球側屈折面１２は、物体側屈折面１１に対する補正面であり、物体側屈折面１１における屈折力と眼球側屈折面１２における屈折力を合わせることで所望の屈折力が得られる。上述したように、物体側屈折面１１には、式（１）で示すようにプラスの加入度が設定されているため、物体側屈折面１１での加入度と合わせて処方加入度Ａｄｄとなるように、眼球側屈折面１２ではマイナスの加入度が設定される。眼球側屈折面１２では、マイナスの加入度が設定されるため、眼球側屈折面１２の遠用部１における球面を基準面とすると、近用部２ではこの基準面より眼球側に位置した形状となる。
【００３６】
＜累進屈折力レンズの設計方法＞
以上のような累進屈折力眼鏡レンズを設計するには、以下の手順で行う。
装用者毎に、遠用部１の表面屈折力（度数）Ｄ１、近用部２の表面屈折力（度数）Ｄ２、処方加入度Ａｄｄを測定し、最適な累進帯長の他、通常のレンズ設計に必要な条件の数値を処方する。そして、装用者が選択した眼鏡フレームを実際に装用した状態で、遠方視する際に視線が通る位置となる遠用部測定基準点ＤＰ、近方視する際に視線が通る位置となる近用部測定基準点ＮＰ、および累進開始点Ｓを確定する。
【００３７】
次に、物体側屈折面１１および眼球側屈折面１２の両方の屈折面の合成により所望の表面屈折力Ｄ１，Ｄ２、および処方加入度Ａｄｄが得られるように、各屈折面での遠用部測定基準点ＤＰの縦方向の屈折力および横方向の屈折力をそれぞれ設定する。そして、各屈折面で設定された縦方向の屈折力および横方向の屈折力を主子午線Ａに沿って連続的に変化するようにシミュレートし、主子午線Ａ上の各位置における縦方向の屈折力および横方向の屈折力を設定する。さらに、主子午線Ａ上の各位置に設定された縦方向の屈折力および横方向の屈折力が得られるように、主子午線Ａ上の各位置における縦方向の曲率ＣＴおよび横方向の曲率ＣＹをシミュレートにより求める。
以上のようにして求められた数値に基づいてレンズ加工をし、加工されたレンズを装用者によって選択されたフレームに装着して眼鏡を完成させる。
【００３８】
＜実施例＞
ここで、前述の設計方法により設計した実施例について説明する。以下説明する実施例は、レンズ度数（屈折力）を変えて、主子午線Ａ上の各位置における縦方向の曲率ＣＴおよび横方向の曲率ＣＹを設定する例であり、他の条件は従来のレンズ設計方法と同じである。
【００３９】
［実施例１］
処方された遠用度数が−４．００Ｄ、処方加入度Ａｄｄが２．００Ｄ、レンズの屈折率ｎが１．６６２の場合の例である。この処方を得るための、物体側屈折面１１の遠用部測定基準点ＤＰにおける縦方向屈折力は２．５０Ｄ、横方向屈折力は２．５０Ｄであり、近用部測定基準点ＮＰにおける縦方向屈折力は６．００Ｄ、横方向屈折力は７．００Ｄである。また、眼球側屈折面１２の遠用部測定基準点ＤＰにおける縦方向屈折力は６．５０Ｄ、横方向屈折力は６．５０Ｄであり、近用部測定基準点ＮＰにおける縦方向屈折力は８．００Ｄ、横方向屈折力は９．００Ｄである。
以上の条件に基づいて、主子午線Ａ上の各位置における縦方向の曲率および横方向の曲率をシミュレートにより設定した。その結果を図４に示す。
【００４０】
［実施例２］
処方された遠用度数が−２．００Ｄ、処方加入度Ａｄｄが２．００Ｄ、レンズの屈折率ｎが１．６００の場合の例である。この処方を得るための、物体側屈折面１１の遠用部測定基準点ＤＰにおける縦方向屈折力は４．００Ｄ、横方向屈折力は４．００Ｄであり、近用部測定基準点ＮＰにおける縦方向屈折力は７．５０Ｄ、横方向屈折力は８．５０Ｄである。また、眼球側屈折面１２の遠用部測定基準点ＤＰにおける縦方向屈折力は６．００Ｄ、横方向屈折力は６．００Ｄであり、近用部測定基準点ＮＰにおける縦方向屈折力は７．５０Ｄ、横方向屈折力は８．５０Ｄである。
以上の条件に基づいて、主子午線Ａ上の各位置における縦方向の曲率および横方向の曲率をシミュレートにより設定した。その結果を図５に示す。
【００４１】
［実施例３］
処方された遠用度数が−６．００Ｄ、処方加入度Ａｄｄが３．００Ｄ、レンズの屈折率ｎが１．７４０の場合の例である。この処方を得るための、物体側屈折面１１の遠用部測定基準点ＤＰにおける縦方向屈折力は１．００Ｄ、横方向屈折力は１．００Ｄであり、近用部測定基準点ＮＰにおける縦方向屈折力は５．５０Ｄ、横方向屈折力は７．００Ｄである。また、眼球側屈折面１２の遠用部測定基準点ＤＰにおける縦方向屈折力は７．００Ｄ、横方向屈折力は７．００Ｄであり、近用部測定基準点ＮＰにおける縦方向屈折力は８．５０Ｄ、横方向屈折力は１０．００Ｄである。
以上の条件に基づいて、主子午線Ａ上の各位置における縦方向の曲率および横方向の曲率をシミュレートにより設定した。その結果を図６に示す。
【００４２】
［実施例４］
処方された遠用度数が−１０．００Ｄ、処方加入度Ａｄｄが２．５０Ｄ、レンズの屈折率ｎが１．５００の場合の例である。この処方を得るための、物体側屈折面１１の遠用部測定基準点ＤＰにおける縦方向屈折力は０．５０Ｄ、横方向屈折力は０．５０Ｄであり、近用部測定基準点ＮＰにおける縦方向屈折力は３．５０Ｄ、横方向屈折力は５．５０Ｄである。また、眼球側屈折面１２の遠用部測定基準点ＤＰにおける縦方向屈折力は１０．５０Ｄ、横方向屈折力は１０．５０Ｄであり、近用部測定基準点ＮＰにおける縦方向屈折力は１１．００Ｄ、横方向屈折力は１３．００Ｄである。
以上の条件に基づいて、主子午線Ａ上の各位置における縦方向の曲率および横方向の曲率をシミュレートにより設定した。その結果を図７に示す。
【００４３】
［実施例５］
処方された遠用度数が−３．００Ｄ、処方加入度Ａｄｄが１．００Ｄ、レンズの屈折率ｎが１．５８０の場合の例である。この処方を得るための、物体側屈折面１１の遠用部測定基準点ＤＰにおける縦方向屈折力は３．００Ｄ、横方向屈折力は３．００Ｄであり、近用部測定基準点ＮＰにおける縦方向屈折力は４．５０Ｄ、横方向屈折力は５．００Ｄである。また、眼球側屈折面１２の遠用部測定基準点ＤＰにおける縦方向屈折力は６．００Ｄ、横方向屈折力は６．００Ｄであり、近用部測定基準点ＮＰにおける縦方向屈折力は６．５０Ｄ、横方向屈折力は７．００Ｄである。
以上の条件に基づいて、主子午線Ａ上の各位置における縦方向の曲率および横方向の曲率をシミュレートにより設定した。その結果を図８に示す。
【００４４】
図４から図８に示すように、遠用部測定基準点ＤＰでは上記式（２）の関係を満たし、累進開始点Ｓより近用部２側の位置では上記式（３）の関係を満たしている。
このようにして設計された実施例１から実施例５の累進屈折力レンズを通して正方形の格子を見たときの像は、図３に示すように、従来例と比べて横方向の倍率が大きく見える。
【００４５】
＜本実施形態の作用効果＞
以上の本実施形態によれば、以下の作用効果を奏することができる。
上記実施形態では、物体側屈折面１１および眼球側屈折面１２の主子午線Ａ上の累進開始点Ｓより下方の位置において、横方向の曲率ＣＹ（Ｐ）が縦方向の曲率ＣＴ（Ｐ）より大きい。マイナス度数の累進屈折力レンズ１０は、通常、累進部３および近用部２において像が縦に長く歪んで見えるが、各屈折面の横方向の曲率ＣＹ（Ｐ）を縦方向の曲率ＣＴ（Ｐ）より大きくすることで、像の横方向の倍率が大きく見える。このため、累進屈折力レンズ１０の累進部３および近用部２を通して見る像の縦横の倍率のバランスが良くなり、歪みが低減される。
【００４６】
また、近用部測定基準点ＮＰでは上記式（４）の関係を満たすため、近用部測定基準点ＮＰを通してみる近用物体の横方向の倍率が大きく見える。横方向の倍率が大きくなることで、像全体が大きく見えるため、近用作業が容易になり、長時間でも疲れにくいという効果がある。
さらに、累進屈折力レンズ１０は、上記式（１）に示すように、物体側屈折面１１ではプラスの加入度となるように表面屈折力が調整され、眼球側屈折面１２でマイナスの加入度となるように表面屈折力が調整されている。眼球側屈折面１２がマイナスの加入度であることから、眼球側屈折面１２は、遠用部１における球面を基準面とすると、この基準面より近用部２が眼球側に位置した形状となる。したがって、近用部２が眼に近づくためゆれを感じにくくなる。すなわち、ゆれを低減することができる。
【００４７】
また、累進屈折力レンズ１０は、物体側屈折面１１と眼球側屈折面１２の両方の屈折面の屈折力を調整することができるので、所望の屈折力を容易に得ることができる。
【００４８】
なお、本発明は前述の実施形態に限定されるものではなく、本発明の目的を達成できる範囲での変形、改良等は本発明に含まれるものである。
【符号の説明】
【００４９】
１…遠用部、２…近用部、３…累進部、４…中間側方部、１０…累進屈折力レンズ、１１…物体側屈折面、１２…眼球側屈折面、ＤＰ…遠用部測定基準点、ＮＰ…近用部測定基準点、Ｓ…累進開始点、Ｅ…累進終了点。
【図１】
0005805407.tif 000002
【図２】
0005805407.tif 000003
【図３】
0005805407.tif 000004
【図４】
0005805407.tif 000005
【図５】
0005805407.tif 000006
【図６】
0005805407.tif 000007
【図７】
0005805407.tif 000008
【図８】
0005805407.tif 000009